(57)【要約】【課題】  本発明は、簡易な操作で音声の記録を行いながら静止画像を記録し得る記録再生装置を提案する。【解決手段】  記録媒体に所定の情報を記録再生する可搬型の記録再生装置において、外部音を集音し、集音結果に応じた音声情報を出力する集音手段と、外部を撮影し、撮影結果に応じた動画像情報を出力する撮影手段と、動画像情報に基づく動画像を表示する表示手段と、撮影手段を撮影可能な状態又は撮影不能な収納状態に可変自在に保持する保持手段と、保持手段によって撮影手段が撮影可能な状態に保持されているか否かを検知する検知手段と、音声情報の記録を開始したときに、検知手段によって撮像手段が撮影可能な状態に保持されていることを検知したときには、動画像情報に基づく動画像を表示手段に表示するように制御する制御手段とを設けるようにした。【選択図】        図１
2006074381.tif 000002
【特許請求の範囲】
【請求項１】
記録媒体に所定の情報を記録再生する可搬型の記録再生装置において、
外部音を集音し、集音結果に応じた音声情報を出力する集音手段と、
外部を撮影し、撮影結果に応じた動画像情報を出力する撮影手段と、
上記動画像情報に基づく動画像を表示する表示手段と、
上記撮影手段を撮影可能な状態又は撮影不能な収納状態に可変自在に保持する保持手段と、
上記保持手段によって上記撮影手段が上記撮影可能な状態に保持されているか否かを検知する検知手段と、
上記音声情報の記録を開始したときに、上記検知手段によって上記撮像手段が上記撮影可能な状態に保持されていることを検知したときには、上記動画像情報に基づく上記動画像を上記表示手段に表示するように制御する制御手段と
を具えることを特徴とする記録再生装置。
【請求項２】
上記保持手段は、
上記撮影手段及び上記表示手段の双方を撮影可能な状態又は撮影不能な収納状態に可変自在に保持し、
上記検知手段は、
上記保持手段によって上記撮影手段及び上記表示手段の双方が上記撮影可能な状態に保持されているか否かを検知し、
上記制御手段は、
上記音声情報の記録を開始したときに、上記検知手段によって上記撮像手段及び上記表示手段の双方が上記撮影可能な状態に保持されていることを検知したときには、上記動画像情報に基づく上記動画像を上記表示手段に表示するように制御する
ことを特徴とする請求項１に記載の記録再生装置。
【請求項３】
上記制御手段は、
上記音声情報の記録を開始した後、上記検知手段によって上記撮像手段が上記撮影可能な状態に保持されたことを検知したときに、上記動画像情報に基づく上記動画像を上記表示手段に表示するように制御する
ことを特徴とする請求項１に記載の記録再生装置。
【請求項４】
上記動画像情報に基づく上記動画像の表示時間をカウントするカウント手段
を具え、
上記制御手段は、
上記カウント手段によってカウントされた上記表示時間が所定の時間を経過したときに、上記表示手段に表示された上記動画像情報に基づく上記動画像の表示を終了するように制御する
ことを特徴とする請求項１に記載の記録再生装置。
【請求項５】
上記カウント手段は、
上記動画像情報に基づく上記動画像の表示が終了してからの時間をカウントし、
上記制御手段は、
上記カウント手段によってカウントされた上記動画像情報に基づく上記動画像の表示が終了してからの時間が所定の時間を経過したときに、上記動画像情報に基づく上記動画像を再び上記表示手段に表示するように制御する
ことを特徴とする請求項４に記載の記録再生装置。
【請求項６】
記録媒体に所定の情報を記録再生する可搬型の記録再生装置の制御方法において、
上記外部音を集音することにより得られた上記音声情報の記録を開始する第１のステップと、
撮影可能な状態又は撮影不能な収納状態に可変自在に保持される撮影手段が撮影可能な状態に保持されているか否かを検知する第２のステップと、
上記音声情報の記録を開始したときに、上記撮像手段が上記撮影可能な状態に保持されていることを検知したときには、外部を撮影することにより得られた動画像情報に基づく動画像を表示する第３のステップと
を具えることを特徴とする記録再生装置の制御方法。
【請求項７】
上記第２のステップでは、
上記撮像手段及び撮影可能な状態又は撮影不能な収納状態に可変自在に保持される表示手段の双方が撮影可能な状態に保持されているか否かを検知し、
上記第３のステップでは、
上記音声情報の記録を開始したときに、上記撮像手段及び上記表示手段の双方が上記撮影可能な状態に保持されていることを検知したときには、上記動画像情報に基づく動画像を表示する
ことを特徴とする請求項６に記載の記録再生装置の制御方法。
【請求項８】
上記第３のステップでは、
上記音声情報の記録を開始した後、上記撮像手段が上記撮影可能な状態に保持されたことを検知したときに、上記動画像情報に基づく上記動画像を表示する
ことを特徴とする請求項６に記載の記録再生装置の制御方法。
【請求項９】
上記第３のステップでは、
上記動画像情報に基づく上記動画像の表示時間をカウントし、上記表示時間が所定の時間を経過したときに、上記表示手段に表示された上記動画像情報に基づく上記動画像の表示を終了する
ことを特徴とする請求項６に記載の記録再生装置の制御方法。
【請求項１０】
上記第３のステップでは、
上記動画像情報に基づく上記動画像の表示が終了してからの時間をカウントし、上記動画像情報に基づく上記動画像の表示が終了してからの時間が所定の時間を経過したときに、上記動画像情報に基づく上記動画像を再び表示する
ことを特徴とする請求項９に記載の記録再生装置の制御方法。
【発明の詳細な説明】
【技術分野】
【０００１】
本発明は、記録再生装置及びその制御方法に関し、例えばカメラ付きＩＣ（Integrated Circuit）レコーダに適用して好適なものである。
【背景技術】
【０００２】
従来、携帯型の音声記録再生装置として、ＩＣレコーダがある。このＩＣレコーダは、内蔵するマイクロホンによって外部音声を集音し、得られた音声データを圧縮符号化処理して内蔵する半導体メモリや装填されたメモリスティック（ソニー株式会社  登録商標）等の外部メモリに記録するものである。
【０００３】
このようなＩＣレコーダは、小型軽量に構成され、可搬性にも優れているため、近年では会議や打ち合わせ等のビジネスシーンにおいて用いられる一方で、ビジネスシーン以外でもパーソナルユースの音声メモ機器として広く用いられている。
【０００４】
また、近年では、このようなＩＣレコーダにＣＣＤ（Charge Coupled Device）カメラ等のカメラが取り付けられ、ＣＣＤカメラによって撮像された静止画の画像に基づく画像データを、集音された音声に基づく音声データに関連付けることによって、音声を再生するときに、音声の再生を行いながら、画像データが関連付けられたタイミングで静止画の画像をも再生するような静止画カメラが提案されている（例えば特許文献１参照)。
【特許文献１】特開２００１−６９４５３公報
【発明の開示】
【発明が解決しようとする課題】
【０００５】
ところで、このような静止画カメラにおいては、ＣＣＤカメラのカメラレンズに傷等がつけられることによって、かかるカメラレンズが損傷するという問題がある。
【０００６】
また、このような静止画カメラにおいては、カメラレンズを遮蔽する等により保護するような機構を設けることによって、当該カメラレンズを傷等から保護することが考えられるが、例えばユーザにカメラレンズを露出させたり、ＣＣＤカメラによって撮影された動画像を表示部に表示させる等の操作を行わせなければならず、煩雑な操作が必要となるという問題がある。
【０００７】
本発明は以上の点を考慮してなされたもので、簡易な操作で音声の記録を行いながら静止画像を記録し得る記録再生装置を提案するものである。
【課題を解決するための手段】
【０００８】
かかる課題を解決するために本発明においては、記録媒体に所定の情報を記録再生する可搬型の記録再生装置において、外部音を集音し、集音結果に応じた音声情報を出力する集音手段と、外部を撮影し、撮影結果に応じた動画像情報を出力する撮影手段と、動画像情報に基づく動画像を表示する表示手段と、撮影手段を撮影可能な状態又は撮影不能な収納状態に可変自在に保持する保持手段と、保持手段によって撮影手段が撮影可能な状態に保持されているか否かを検知する検知手段と、音声情報の記録を開始したときに、検知手段によって撮像手段が撮影可能な状態に保持されていることを検知したときには、動画像情報に基づく動画像を表示手段に表示するように制御する制御手段とを設けるようにした。
【０００９】
従って、ユーザに煩雑な操作を行わせることなく、録音動作時に、直ちに動画像に基づく静止画像を保存可能な状態することができる。
【００１０】
また、本発明においては、記録媒体に所定の情報を記録再生する可搬型の記録再生装置の制御方法において、外部音を集音することにより得られた音声情報の記録を開始する第１のステップと、撮影可能な状態又は撮影不能な収納状態に可変自在に保持される撮影手段が撮影可能な状態に保持されているか否かを検知する第２のステップと、音声情報の記録を開始したときに、撮像手段が撮影可能な状態に保持されていることを検知したときには、外部を撮影することにより得られた動画像情報に基づく動画像を表示する第３のステップとを設けるようにした。
【００１１】
従って、ユーザに煩雑な操作を行わせることなく、録音動作時に、直ちに動画像に基づく静止画像を保存可能な状態することができる。
【発明の効果】
【００１２】
本発明によれば、記録媒体に所定の情報を記録再生する可搬型の記録再生装置において、外部音を集音し、集音結果に応じた音声情報を出力する集音手段と、外部を撮影し、撮影結果に応じた動画像情報を出力する撮影手段と、動画像情報に基づく動画像を表示する表示手段と、撮影手段を撮影可能な状態又は撮影不能な収納状態に可変自在に保持する保持手段と、保持手段によって撮影手段が撮影可能な状態に保持されているか否かを検知する検知手段と、音声情報の記録を開始したときに、検知手段によって撮像手段が撮影可能な状態に保持されていることを検知したときには、動画像情報に基づく動画像を表示手段に表示するように制御する制御手段とを設けるようにしたことにより、ユーザに煩雑な操作を行わせることなく、録音動作時に、直ちに動画像に基づく静止画像を保存可能な状態することができ、かくして簡易な操作で音声の記録を行いながら静止画像を記録し得る記録再生装置を実現できる。
【００１３】
また、本発明によれば、記録媒体に所定の情報を記録再生する可搬型の記録再生装置の制御方法において、外部音を集音することにより得られた音声情報の記録を開始する第１のステップと、撮影可能な状態又は撮影不能な収納状態に可変自在に保持される撮影手段が撮影可能な状態に保持されているか否かを検知する第２のステップと、音声情報の記録を開始したときに、撮像手段が撮影可能な状態に保持されていることを検知したときには、外部を撮影することにより得られた動画像情報に基づく動画像を表示する第３のステップとを設けるようにしたことにより、ユーザに煩雑な操作を行わせることなく、録音動作時に、直ちに動画像に基づく静止画像を保存可能な状態することができ、かくして簡易な操作で音声の記録を行いながら静止画像を記録し得る記録再生装置の制御方法を実現できる。
【発明を実施するための最良の形態】
【００１４】
以下図面について、本発明の一実施の形態を詳述する。
【００１５】
（１）本実施の形態によるカメラ付きＩＣレコーダ１の構成
図１〜図３において、１は全体として本実施の形態によるカメラ付きＩＣレコーダ１を示し、全体として丸みを帯びた縦長形状の本体部２の上部に、ＣＣＤ（Charge Coupled Device）カメラ３が取り付けられたＬＣＤ（Liquid Crystal Display）カバー部４が上方向（矢印ｚ方向）にスライド自在に配設されている。
【００１６】
本体部２においては、背面２Ａの上部左右両側にそれぞれ集音孔５Ａ、５Ｂが穿設されると共に、これら集音孔５Ａ、５Ｂにそれぞれ対応させてその内部にマイクロホン２０Ａ、２０Ｂ（図５）が収納されており、かくしてこれらマイクロホン２０Ａ、２０Ｂが対応する集音孔５Ａ、５Ｂを介して外部音声を集音し得るようになされている。
【００１７】
また本体部２の前面２Ｂの中段位置には録音ボタン６Ａが配設されており、この録音ボタン６Ａを押圧操作することによって、各マイクロホン２０Ａ、２０Ｂにより集音された外部音声の録音動作を開始させることができるようになされている。
【００１８】
さらに本体部２の前面２Ｂの上段位置には、図３に示すように、高解像度のカラー液晶ディスプレイでなるＬＣＤ７が配設されている。そしてこのＬＣＤ７の下側には、ライブビューボタン６Ｂが配設されており、この図３のようにＬＣＤカバー部４を上方向に引き出して開状態にし、かつ後述のようにＬＣＤカバー部４のカメラカバー８をＣＣＤカメラ３が露出するように回転させた開状態にした状態において、このライブビューボタン６Ｂを押圧操作することによって、そのときＣＣＤカメラ３により撮像されている動画像をＬＣＤ７に表示させることができるようになされている。
【００１９】
さらに本体部２の前面２Ｂの中段におけるライブビューボタン６Ｂの左横には、カメラシャッタボタン６Ｃが配設されており、ＬＣＤ７に動画像が表示されている状態においてこのカメラシャッタボタン６Ｃを押圧操作することによって、ＬＣＤ７に表示されていた動画像のうちのカメラシャッタボタン６Ｃを押圧操作した瞬間の１フレーム分の静止画像を取り込んで保存させることができるようになされている。これによりこのカメラ付きＩＣレコーダ１においては、ＬＣＤ７に表示された動画像を目視確認しながら、所望の静止画像を記録し得るようになされている。
【００２０】
一方、本体部２の右側面２Ｃには、メニューボタン６Ｄが配設されており、このメニューボタン６Ｄを押圧操作することによって、ＬＣＤ７に所定のメニュー画面を表示させることができるようになされている。また本体部２の右側面２Ｃにおけるメニューボタン６Ｄの下側にはジョグレバー６Ｅが配設されており、このジョグレバー６Ｅを上下左右方向に倒すように操作したり、このジョグレバー６Ｅを押圧操作することによって、メニュー画面内に表示された各種選択肢の中から所望の選択肢を選択したり、その選択肢を選択対象として決定することができるようになされている。
【００２１】
さらに本体部２の右側面２Ｃにおけるジョグレバー６Ｅの下側には、停止ボタン６Ｆが配設されると共に、当該停止ボタン６Ｆの下側にはボリュームボタン６Ｇが配設されており、この停止ボタン６Ｆを押圧操作することによって録音動作や再生動作を停止させることができ、また再生動作時にボリュームボタン６Ｇの上側又は下側を押圧操作することによって、このときＬＣＤ７の裏側に配設されたスピーカ３２（図５）から出力される再生音声の音量を上げ又は下げることができるようになされている。
【００２２】
さらに本体部２の右側面２Ｃにおけるボリュームボタン６Ｇの下側には、ボイスアップスイッチ６Ｈが配設されており、このボイスアップスイッチ６Ｈを再生動作時にオン設定しておくことによって、録音動作時に大きな音量で録音された音声の音量をそのままに維持しながら、小さい音量で録音された音声を大きな音量で出力させることができるようになされている。
【００２３】
他方、本体部２の左側面２Ｄには、電源コネクタ９が配設されており、所定の電源供給キットのプラグをこの電源コネクタ９に挿入することによって、このカメラ付きＩＣレコーダ１に電源電圧を供給したり、当該カメラ付きＩＣレコーダ１内に内蔵された図示しない電池に対する充電を行い得るようになされている。
【００２４】
また本体部２の左側面２Ｄにおける電源コネクタ９の下側には、ＵＳＢ（Universal Serial Bus）コネクタ１０が配設されており、このＵＳＢコネクタ１０を介してパーソナルコンピュータ等の外部機器とＵＳＢ接続することができるようになされている。これによりこのカメラ付きＩＣレコーダ１においては、かかるＵＳＢ接続された外部機器との間でこのカメラ付きＩＣレコーダ１に保存された録音音声の音声データや録画画像の画像データを外部機器に出力したり、当該外部機器から与えられる音声データや画像データを取り込み得るようになされている。
【００２５】
なお本体部２の前面２ＢにおけるＬＣＤ７の直下には、充電時に点灯する充電用ＬＥＤ（Light Emitting Diode）１１と、録音動作時や再生動作時に点灯するオペレーション用ＬＥＤ１２とが配設されており、かくしてユーザがこれら充電用ＬＥＤ１１及びオペレーション用ＬＥＤ１２の点滅状態に基づいて充電や録音等が確実に行われているか否かを容易に検知し得るようになされている。
【００２６】
さらに本体部２の下側面２Ｅには、マイクロホンジャック１３及びヘッドホンジャック１４が配設されており、かくしてマイクロホンジャック１３に図示しない外部のマイクロホンの出力プラグを挿入することによって、当該マイクロホンにより集音された外部音声を取り込んで録音でき、またヘッドホンジャック１４に図示しない外部のヘッドホンの入力プラグを挿入することによって、再生動作時に再生された録音音声を当該ヘッドホンにより聞くことができるようになされている。
【００２７】
これに対してＬＣＤカバー部４においては、図１及び図２のように閉じられた閉状態時において本体部２のＬＣＤ７の２／３程度を覆うようにその外形形状が選定されている。これによりこのカメラ付きＩＣレコーダ１においては、不使用時にはＬＣＤカバー部４を閉状態にすることでＬＣＤ７を当該ＬＣＤカバー部４によって保護することができる一方、使用の際には図３のようにこのＬＣＤカバー部４を上方向に引き出して開状態にすることで、ＬＣＤ７を露出させて当該ＬＣＤ７に表示されるメニュー画面等をユーザが目視できるようになされている。
【００２８】
またＬＣＤカバー部４の上部には、円柱形状のカメラカバー８が回転自在に配設されると共に、このカメラカバー８の所定位置には、上述のＣＣＤカメラ３がその光学軸を当該カメラカバー８の中心軸と垂直な方向に向けて取り付けられている。
【００２９】
この場合において、カメラカバー８は、図４（Ａ）のようにＣＣＤカメラ３がＬＣＤカバー部４内に隠れた回転位置（以下、この回転位置を原点位置と呼ぶ）から図４（Ｄ）のようにＣＣＤカメラ３の光学軸が本体部２の前面２Ｂの法線方向とほぼ一致する回転位置（以下、この回転位置を終点位置と呼ぶ）までの範囲内において矢印ａ方向又はこれと逆方向に回転させることができるようになされている。
【００３０】
これによりこのカメラ付きＩＣレコーダ１においては、図４（Ａ）のようにカメラカバー８を原点位置に位置させた閉状態にすることで不使用時のＣＣＤカメラ３を保護する一方、この状態からカメラカバー８を矢印ａ方向に回転させて、図４（Ｂ）のようにＣＣＤカメラ３が本体部２の背面２Ａ側に露出した開状態にすることによって、ＬＣＤ７に表示される動画像を目視しながら所望の画像を撮影でき、この状態からさらにカメラカバー８を終点位置にまで矢印ａ方向に回転させることによって、図４（Ｃ）のようにＬＣＤ７に表示される動画像を目視しながらユーザ自身の顔をも撮影することができるようになされている。
【００３１】
なおカメラカバー８にはマクロスイッチ６Ｉが配設されており、このマクロスイッチ６Ｉをオン設定することによって、ＣＣＤカメラ８を被写体に近づけた接写にも対応し得るマクロモードを設定し得るようになされている。この場合において、かかるマクロスイッチ６Ｉの配設位置は、ＣＣＤカメラ３と180〔°〕ずれた位置に選定されており、これによりＬＣＤに表示される動画像に基づきマクロモードの必要性を判断した上で、必要と判断したときにユーザがマクロスイッチ６Ｉを容易にオン設定することができるようになされている。
【００３２】
（２）カメラ付きＩＣレコーダ１の内部構成
ここで図５は、このカメラ付きＩＣレコーダ１の内部構成を示すものである。
【００３３】
このカメラ付きＩＣレコーダ１では、電源投入時、マイクロホン２０Ａ、２０Ｂが外部音声を集音し、得られた音声信号Ｓ１を増幅器２１を介してＡＤ(Analog Digital)／ＤＡ(Digital Analog)コンバータ２２に送出する。またＡＤ／ＤＡコンバータ２２は、マイクロホン２０Ａ、２０Ｂから与えられる音声信号Ｓ１を順次ディジタル変換処理し、得られた音声データＤ１をデータ処理及び制御部２３に順次送出する。
【００３４】
データ処理及び制御部２３は、このカメラ付きＩＣレコーダ１全体の制御を司るＣＰＵ(Central Processing Unit)２４、各種プログラムが格納されたＲＯＭ(Read Only Memory)２５、当該ＣＰＵ２４のワークメモリとしてのＲＡＭ(Random Access Memory)２６及び内蔵のタイマ２７を含んでなるマイクロコンピュータ構成の制御部２８と、音声データＤ１及び後述する画像データＤ３に対するデータ圧縮伸張機能を有するＤＳＰ(Digital Signal Processor)２９とから構成される。
【００３５】
そしてデータ処理及び制御部２３の制御部２８には、操作部６を構成する上述の録音ボタン６Ａ、ライブビューボタン６Ｂ、カメラシャッタボタン６Ｃ、メニューボタン６Ｄ、ジョグレバー６Ｅ、停止ボタン６Ｆ、ボリュームスイッチ６Ｇ、ボイスアップスイッチ６Ｈ及びマクロスイッチ６Ｉのいずれかが操作されたときに、これに応じた操作入力信号Ｓ２が操作部６から与えられる。
【００３６】
また制御部２８には、ＬＣＤカバー部４内に設けられた対応するセンサ（図示せず）から、ＬＣＤカバー部４が閉状態（図１及び図２）及び開状態（図３）のいずれの状態にあるかを表すＬＣＤカバー状態信号Ｓ３と、カメラカバー８が閉状態（図４（Ａ））及び開状態（図４（Ｂ）及び４（Ｃ））のいずれの状態にあるかを表すカメラカバー状態信号Ｓ４とがそれぞれ与えられる。
【００３７】
かくして制御部２８のＣＰＵ２４は、操作入力信号Ｓ２に基づいてユーザ操作の操作内容を認識すると共に、ＬＣＤカバー状態信号Ｓ３及びカメラカバー状態信号Ｓ４に基づいて現在のＬＣＤカバー部４及びカメラカバー８の状態を検知し、これら認識及び検知結果とＲＯＭ２５に格納された各種制御プログラムとに基づいて対応する各種制御処理を実行する。
【００３８】
実際上、ＣＰＵ２４は、操作入力信号Ｓ２に基づき操作部６の録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の少なくともいずれか一方が閉状態にあることを検知したときには、これに応じて動作モードを録音モードに遷移してＤＳＰ２９を制御する。かくしてこのときＤＳＰ２９は、かかるＣＰＵ２４の制御のもとに、ＡＤ／ＤＡコンバータ２２から与えられる音声データＤ１に対してＬＰＥＣ（ソニー株式会社  登録商標）等の所定の音声圧縮方式に準拠した音声圧縮処理を施し、得られた圧縮音声データＤ２を順次フラッシュメモリ３０に格納する。
【００３９】
またＣＰＵ２４は、この後操作入力信号Ｓ２に基づき停止ボタン６Ｆが押圧操作されたことを認識すると、ＤＳＰ２９を制御することにより、ＡＤ／ＤＡコンバータ２２から与えられる音声データＤ１に対する音声圧縮処理を停止させる一方、そのときユーザにより選択されていたフォルダ内に新たな用件フォルダを生成し、かかる圧縮音声データＤ２を既存のＩＣレコーダにおいて採用されている音声ファイルフォーマットと同じファイルフォーマットでファイル化し、かくして得られた音声ファイルをその用件フォルダに収納して、その用件フォルダの管理情報を所定の管理ファイルに格納する。
【００４０】
またＣＰＵ２４は、ＬＣＤカバー状態信号Ｓ３及びカメラカバー状態信号Ｓ４に基づきＬＣＤカバー部４及びカメラカバー８の双方が開状態となったことを検知すると、動作モードをカメラモードに遷移させて、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００４１】
そしてＣＰＵ２４は、この状態において操作入力信号Ｓ２に基づきライブビューボタン６Ｂが押圧操作されたことを認識すると、これに応じてＤＳＰ２９を制御する。かくしてこのときＤＳＰ２９は、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像がリアルタイムでＬＣＤ７に表示される。
【００４２】
さらにＣＰＵ２４は、この後この状態において操作入力信号Ｓ２に基づきカメラシャッタボタン６Ｃが押圧操作されたことを認識すると、これに応じてＤＳＰ２９を制御する。かくして、このときＤＳＰ２９は、画像データＤ３に基づき得られるそのカメラシャッタボタン６Ｃが押圧された瞬間の１フレーム分の静止画像の画像データＤ３を取り込み、この取り込んだ画像データＤ３に対して例えばＪＰＥＧ(Joint Photographic Experts Group)等の所定の画像圧縮方式に準拠した画像圧縮処理を施し、得られた圧縮画像データＤ４をフラッシュメモリ３０に格納する。
【００４３】
そしてＣＰＵ２４は、この後そのときユーザにより選択されていたフォルダ内に新たな用件フォルダを生成し、かかる圧縮画像データＤ４からなる画像ファイルをその用件フォルダに収納して、その用件フォルダの管理情報を上述の管理ファイルに格納する。
【００４４】
一方、ＣＰＵ２４は、操作入力信号Ｓ２に基づき録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の双方が開状態にあることを検知したときには、動作モードを録音録画モードに遷移させると共に、これに応じてＤＳＰ２９を制御する。
【００４５】
このときＤＳＰ２９は、上述した録音モード時と同様にＡＤ／ＤＡコンバータ２２から与えられる音声データＤ１に対して順次所定の音声圧縮処理を施し、得られた圧縮音声データＤ２をフラッシュメモリ３０に格納する。またこのときＤＳＰ２９は、上述したカメラモード時と同様に、ＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像がリアルタイムで表示される。
【００４６】
さらにＣＰＵ２４は、この後この状態において操作入力信号Ｓ２に基づきカメラシャッタボタン６Ｃが押圧操作されたことを認識すると、これに応じてＤＳＰ２９を制御する。このときＤＳＰ２９は、カメラモード時と同様に、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。
【００４７】
またＤＳＰ２９は、この後かかる画像圧縮処理により得られた圧縮画像データＤ４を、そのカメラシャッタボタン６Ｃが押圧操作された瞬間を後に検索する際の目印となる画像（以下、これをブックマーク画像と呼ぶ）の圧縮画像データＤ４として、そのときフラッシュメモリ３０に順次格納している圧縮音声データＤ２の対応する位置と関連付けてフラッシュメモリ３０に格納する。
【００４８】
そしてＣＰＵ２４は、この後操作入力信号Ｓ２に基づき停止ボタン６Ｆが押圧操作されたことを認識すると、そのときユーザにより選択されていたフォルダ内に新たな用件フォルダを生成し、かかる圧縮音声データＤ２からなる音声ファイルと、当該音声ファイルと関連付けられた上述の各圧縮画像データＤ４でなる各画像ファイルとをその用件フォルダに収納して、その用件フォルダの管理情報を上述の管理ファイルに格納する。
【００４９】
このようにしてこのカメラ付きＩＣレコーダ１においては、音声及び静止画像をそれぞれ独立して記録できるだけでなく、静止画像を録音中の音声と関連付けてブックマーク画像として記録することもできるようになされている。
【００５０】
そしてこのカメラ付きＩＣレコーダ１では、このように音声と関連付けて記録されたブックマーク画像に基づいて、所望する用件フォルダや用件フォルダ内の所望の音声位置を検索できる。
【００５１】
実際上、ＣＰＵ２４は、ジョグレバー６Ｅが押圧操作されて、所望するフォルダ内の所望する用件フォルダを選択するための選択画面（以下、これを用件フォルダ選択画面と呼ぶ）又はその用件フォルダ内の所望するブックマーク画像を選択するための選択画面（以下、これをブックマーク画像選択画面と呼ぶ）の表示命令が入力されたことを操作入力信号Ｓ２に基づき認識すると、対応する画像データＤ３をＲＯＭ２５から読み出してＬＣＤ７に送出することにより、図６に示すような用件フォルダ選択画面３３や、当該用件フォルダ選択画面３３と同様構成のブックマーク画像選択画面３４（図６）をＬＣＤ７に表示させる。
【００５２】
この場合においてＣＰＵ２４は、用件フォルダ選択画面３３をＬＣＤ７に表示させるに際しては、そのフォルダ内の用件フォルダ毎に、それぞれその用件フォルダについて予め設定された代表的なブックマーク画像（以下、これを代表画像と呼ぶ）の画像ファイル（圧縮画像データＤ４）をフラッシュメモリ３０から読み出し、これをＤＳＰ２９に復号化処理させて、得られた画像データＤ３に基づき所定サイズのサムネイル画像Ｐ１〜Ｐ６を作成する。
【００５３】
そしてＣＰＵ２４は、この図６に示すように、かくして得られた用件フォルダ毎のサムネイル画像Ｐ１〜Ｐ６を用件フォルダ選択画面３３内に一覧表示させる。なお、このとき音声のみの静止画像を含まない用件フォルダについては、サムネイル画像に代えて所定のアイコンが表示される。
【００５４】
またＣＰＵ２４は、その後ジョグレバー６Ｅが操作されて、用件フォルダ選択画面３３内の１つのサムネイル画像Ｐ１〜Ｐ６が選択されると、上述した管理ファイルに基づいて、対応する用件フォルダ内の音声ファイル（圧縮音声データＤ２）をフラッシュメモリ３０から読み出し、これをＤＳＰ２９に復号化処理させる。
【００５５】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、このときこの音声信号Ｓ６に基づく音声がスピーカ３２から出力される。
【００５６】
これと同様に、ＣＰＵ２４は、ブックマーク画像選択画面３４（図６）をＬＣＤ７に表示させる際には、かかる管理ファイルに基づいて、対応する用件フォルダ内の各ブックマーク画像の画像ファイル（圧縮像データＤ４）をフラッシュメモリ３０から読み出し、これらをＤＳＰ２９に復号化処理させて、得られた各画像データＤ３に基づき所定サイズのサムネイル画像Ｐ１〜Ｐ６をそれぞれ作成する。そしてＣＰＵ２４は、このようにして得られたブックマーク画像毎のサムネイル画像Ｐ１〜Ｐ６を、ブックマーク画像選択画面３４内に一覧表示させる。
【００５７】
またＣＰＵ２４は、その後ジョグレバー６Ｅが操作されて、ブックマーク画像選択画面３４内の１つのサムネイル画像Ｐ１〜Ｐ６が選択されると、フラッシュメモリ３０から対応する音声ファイルにおけるそのサムネイル画像Ｐ１〜Ｐ６の元のブックマーク画像と対応付けられた音声部分以降の圧縮音声データＤ２を読み出し、これをＤＳＰ２９に復号化処理させる。
【００５８】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、この音声信号Ｓ６に基づいて、選択された用件フォルダにおけるユーザにより選択されたブックマーク画像と対応付けられた音声位置以降の音声がスピーカ３２から出力される。
【００５９】
このようにしてこのカメラ付きＩＣレコーダ１においては、用件フォルダの代表画像や用件ファイル内の各ブックマーク画像に基づいて、所望する用件フォルダや、用件フォルダ内の所望する音声位置に迅速かつ容易にアクセスし得るようになされている。
【００６０】
かかる構成に加えてこのカメラ付きＩＣレコーダ１の場合、音声ファイルを含む用件フォルダについては、当該音声ファイルの再生時に新たなブックマーク画像を記録することができ、また画像ファイルのみを含む用件フォルダについては、後から音声を関連付けて記録することもできるようになされている。
【００６１】
実際上、ＣＰＵ２４は、ＬＣＤカバー状態信号Ｓ３及びカメラカバー状態信号Ｓ４に基づきＬＣＤカバー部４及びカメラカバー８の双方が開状態にあることを検知しており、ユーザにより選択された用件フォルダの音声ファイルを上述のように再生している状態において、操作入力信号Ｓ２に基づきカメラシャッタボタン６Ｃが押圧操作されたことを認識すると、これに応じてＤＳＰ２９を制御する。
【００６２】
このときＤＳＰ２９は、かかるＣＰＵ２４の制御のもとに、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。そしてＤＳＰ２９は、この後かかる画像圧縮処理により得られた圧縮画像データＤ４を、そのカメラシャッタボタン６Ｃが押圧操作された瞬間のブックマーク画像の画像ファイルとして、そのとき再生している音声ファイルと関連付けてフラッシュメモリ３０に格納する。
【００６３】
一方、ＣＰＵ２４は、ＬＣＤ７に表示された用件フォルダ選択画面３３（図６）において、画像ファイルのみからなる用件フォルダが選択され、ジョグレバー６Ｅを用いた所定操作により当該用件フォルダについて追加録音する旨の命令が入力された後に、録音ボタン６Ａが押圧操作されたことを操作入力信号Ｓ２に基づき認識すると、これに応じてＤＳＰ２９を制御する。
【００６４】
かくしてこのときＤＳＰ２９は、かかるＣＰＵ２４の制御のもとに、ＡＤ／ＤＡコンバータ２２から与えられる音声データＤ１に対して音声圧縮処理を施し、得られた圧縮音声データＤ２を音声ファイルとしてその画像ファイルと関連付けてフラッシュメモリ３０に格納する。因みにこの場合、元の画像ファイルに基づく静止画像は、追加記録された音声の先頭位置のブックマーク画像に自動設定される。
【００６５】
このようにしてこのカメラ付きＩＣレコーダにおいては、記録音声の所望位置に後から自由にブックマーク画像を追加記録したり、記録された静止画像に後から音声を関連付けて追加記録できるようにすることで、記録音声の所望部分の検索性を向上させたり、ＩＣレコーダとしての機能性を向上させ得るようになされている。
【００６６】
（３）録音動作時における自動動画像表示機能
次に、このカメラ付きＩＣレコーダ１に搭載されている自動動画像表示機能について説明する。
【００６７】
このカメラ付きＩＣレコーダ１では、ＬＣＤカバー部４及カメラカバー８の双方が開状態である撮影可能な状態又はＬＣＤカバー部４及びカメラカバー８の少なくともいずれか一方が閉状態である撮影不能な収納状態を可変自在に保持するようになされており、録音ボタン６Ａが押圧操作されたときに、ＬＣＤカバー部４及びカメラカバー８が撮影可能な状態に保持されているか否かを判断する。そして、撮影可能な状態に保持されているときには、自動的に動画像をＬＣＤ７に表示させることができるようになされている。
【００６８】
実際上、ＣＰＵ２４は、操作入力信号Ｓ２に基づき録音ボタン６Ａが押圧操作されたことを認識すると、ＬＣＤカバー部４及びカメラカバー８が撮影可能な状態に保持されているか否かを判断し、撮影可能な状態に保持されていることを検知したときには、動作モードを録音録画モードに遷移させると共に、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００６９】
そしてＣＰＵ２４は、その後これに応じてＤＳＰ２９を制御することによって、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像が直ちにＬＣＤ７に表示される。
【００７０】
また、このカメラ付きＩＣレコーダ１では、ＬＣＤカバー部４及びカメラカバー８が撮影不能な状態に保持され、動作モードが録音モードに遷移した後に、ＬＣＤカバー部４及びカメラカバー８が撮影可能な状態に保持されたときには、動作モードが録音録画モードに遷移すると共に、自動的に動画像をＬＣＤ７に表示させることができるようになされている。
【００７１】
実際上、ＣＰＵ２４は、操作入力信号Ｓ２に基づき操作部６の録音ボタン６Ａが押圧操作されたことを認識すると、ＬＣＤカバー部４及びカメラカバー８が撮影可能な状態に保持されているかを判断し、撮影可能な収納状態に保持されていることを検知しなかった場合には、これに応じて動作モードを録音モードに遷移してＤＳＰ２９を制御する。かくしてこのときＤＳＰ２９は、上述した録音モード時と同様にＡＤ／ＤＡコンバータ２２から与えられる音声データＤ１に対して順次所定の音声圧縮処理を施し、得られた圧縮音声データＤ２をフラッシュメモリ３０に格納する。
【００７２】
そしてその後ＣＰＵ２４は、ＬＣＤカバー部４及びカメラカバー８が撮影可能な状態に保持されたことを検知したときには、動作モードを録音録画モードに遷移させると共に、これに応じてＤＳＰ２９を制御する。
【００７３】
このときＤＳＰ２９は、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００７４】
そしてＣＰＵ２４は、その後これに応じてＤＳＰ２９を制御することによって、かかるＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像が直ちに表示される。
【００７５】
このときＣＰＵ２４は、動画像がＬＣＤ７に表示されたときに、制御部２８内のタイマ２７において、ＬＣＤ７に動画像の表示を開始してから経過した時間（以下、これを動画像表示時間と呼ぶ）をカウントし、このカウント結果が例えば５分を経過したことを認識すると、ＬＣＤ７を制御することによりＬＣＤ７における動画像の表示を終了させて、当該ＬＣＤ７をスリープ状態にさせることによって、かくしてこのカメラ付きＩＣレコーダ１の電力の消費を有効に軽減させることができるようになされている。
【００７６】
また、このときＣＰＵ２４は、上述のようにＬＣＤ７をスリープ状態にさせたときに、制御部２８内のタイマ２７において、ＬＣＤ７をスリープ状態にさせてから経過した時間（以下、これをＬＣＤスリープ時間と呼ぶ）をカウントし、このカウント結果が例えば５分を経過したことを認識すると、再びＬＣＤ７に動画像を表示させることによって、かくしてユーザに所定の時間ごとにカメラシャッタボタン６Ｃの押圧操作を喚起させることができるようになされている。
【００７７】
（４）録音動作時における自動動画像表示制御処理手順
ここで、上述のような録音動作時におけるＣＰＵ２４の制御処理は、制御部２８内のＲＯＭ２５に格納された制御プログラムに基づき、図７に示す録音動作時における自動動画像表示制御処理手順ＲＴに従って行われる。
【００７８】
すなわちＣＰＵ２４は、操作入力信号Ｓ２に基づき録音ボタン６Ａが押圧操作されたことを認識すると、この録音動作時における自動動画像表示制御処理手順ＲＴをステップＳＰ０において開始し、続くステップＳＰ１において、ＬＣＤカバー部４及びカメラカバー８が撮影可能な状態に保持されているか否かを判断する。そしてＣＰＵ２４は、このステップＳＰ１において否定結果を得るとステップＳＰ２に進んで動作モードを録音モードに遷移させて、録音動作を行わせる。
【００７９】
続いてＣＰＵ２４は、この後ステップＳＰ３に進んで、この録音動作を停止すべき操作である停止ボタン６Ｆが押下操作されたか否かを判断し、否定結果を得るとステップＳＰ１に戻り、この後ステップＳＰ１〜ステップＳＰ３について同様の処理を繰り返す。そしてＣＰＵ２４は、やがてユーザが停止ボタン６Ｆを押下操作することによりステップＳＰ３において肯定結果を得ると、ステップＳＰ１２に進んでこの録音動作時における自動動画像表示制御処理手順ＲＴを終了する。
【００８０】
これに対してＣＰＵ２４は、ステップＳＰ１において肯定結果を得るとステップＳＰ４に進み、動作モードを録音録画モードに遷移させて、録音動作を行わせる。続いてＣＰＵ２４は、この後ステップＳＰ５に進んで、そのときＣＣＤカメラ３により撮影されている光景の動画像をＬＣＤ７に表示させる。
【００８１】
続いてＣＰＵ２４は、この後ステップＳＰ６に進んで、カメラシャッタボタン６Ｃが押下操作されたか否かを判断する。そしてＣＰＵ２４は、このステップＳＰ６において肯定結果を得ると、ステップＳＰ７に進んで当該カメラシャッタボタン６Ｃが押圧操作された瞬間に対応する画像データＤ３を圧縮画像データＤ４として圧縮音声データＤ２の対応する位置と関連付けてフラッシュメモリ３０に格納した後、ステップＳＰ６に戻り、この後ステップＳＰ６〜ステップＳＰ７について同様の処理を繰り返す。
【００８２】
やがてＣＰＵ２４は、この後ステップＳＰ８に進んで、ＬＣＤ７を制御することによりＬＣＤ７での動画像の表示を終了して、ＬＣＤ７をスリープ状態にする。続いてＣＰＵ２４は、この後ステップＳＰ９に進んで、ライブビューボタン６Ｂが押下操作された、又はスリープ状態時間が５分を経過したか否かを判断する。そしてＣＰＵ２４は、このステップＳＰ９において否定結果を得るとステップＳＰ１０に進み、これに対して肯定結果を得るとステップＳＰ５に戻り、この後ステップＳＰ５〜ステップＳＰ１０について同様の処理を繰り返す。
【００８３】
やがてＣＰＵ２４は、この後ステップＳＰ１１に進んで、停止ボタン６Ｆが押下操作されたか否かを判断し、否定結果を得るとステップＳＰ１０に戻り、この後ステップＳＰ１０〜ステップＳＰ１１について同様の処理を繰り返す。そしてＣＰＵ２４は、やがてユーザが停止ボタン６Ｆを押下操作することによりステップＳＰ１１において肯定結果を得ると、ステップＳＰ１２に進んでこの録音動作時における自動動画像表示制御処理手順ＲＴを終了する。
【００８４】
（５）本実施の形態による動作及び効果
以上の構成において、このカメラ付ＩＣレコーダ１では、録音ボタン６Ａが押圧操作されたときに、ＬＣＤカバー部４及びカメラカバー８が撮影可能な状態に保持されているか否かを判断し、撮影可能な状態に保持されているときには、自動的に動画像をＬＣＤ７に表示する。
【００８５】
従って、ユーザに煩雑な操作を行わせることなく、録音動作時に、直ちに動画像に基づく静止画像を保存可能な状態することができる。
【００８６】
以上の構成によれば、録音ボタン６Ａが押圧操作されたときに、ＬＣＤカバー部４及びカメラカバー８が撮影可能な状態に保持されているか否かを判断し、撮影可能な状態に保持されているときには、自動的に動画像をＬＣＤ７に表示することにより、ユーザに煩雑な操作を行わせることなく、録音動作時に、直ちに動画像に基づく静止画像を保存可能な状態することができ、かくして簡易な操作で録音を行いながら静止画像を記録することができる。
【００８７】
（６）他の実施の形態
なお上述の実施の形態においては、本発明をカメラ付きＩＣレコーダ１に適用するようにした場合について述べたが、本発明はこれに限らず、この他種々の記録再生装置に広く適用することができる。
【００８８】
また上述の実施の形態においては、用件ファイル選択画面３３やブックマーク画像選択画面３４において、用件ファイルの代表画像として設定された画像のサムネイル画像Ｐ１〜Ｐ６を６つ表示するようにした場合について述べたが、本発明はこれに限らず、用件ファイル選択画面３３等に表示するかかるサムネイル画像Ｐ１〜Ｐ６の数は６つ以外であっても良い。
【００８９】
さらに上述の実施の形態においては、圧縮音声データＤ２及び圧縮画像データＤ４を内蔵されたフラッシュメモリ３０に格納して記録した場合について述べたが、本発明はこれに限らず、当該カメラ付きＩＣレコーダ１に対して装脱着自在のフラッシュメモリを適用するようにしても良く、またフラッシュメモリに代えて、例えばメモリスティック（ソニー株式会社  登録商標）や光ディスク、光磁気ディスク、半導体メモリ、磁気ディスク等の種々の内部又は外部の記録媒体に記録するようにしても良い。
【００９０】
さらに本実施の形態においては、ＬＣＤカバー部４及カメラカバー８の双方が開状態である撮影可能な状態に保持されている場合に、自動的に動画像をＬＣＤ７に表示させた場合について述べたが、本発明はこれに限らず、この他種々のＣＣＤカメラが撮影可能な状態に保持された場合に、自動的に動画像をＬＣＤに表示させるようにしても良い。
【００９１】
さらに本実施の形態においては、ＬＣＤカバー状態信号Ｓ３及びカメラカバー状態信号Ｓ４に基づきＬＣＤカバー部４及びカメラカバー８の双方の状態を判断し、ＬＣＤカバー部４及びカメラカバー８が開又は閉状態にあることを検知した場合について述べたが、本発明はこれに限らず、ＬＣＤカバー部及びカメラカバーが開状態にあることのみを検知するようにしても良く、要は、ＣＣＤカメラが撮影可能な状態に保持されたことを検知するようにすれば良い。
【００９２】
さらに本実施の形態においては、ＬＣＤカバー部４及カメラカバー８の双方が開状態である撮影可能な状態に保持されている場合に、自動的に動画像をＬＣＤ７に表示させた場合について述べたが、本発明はこれに限らず、常にＬＣＤが撮影可能な状態にされているような場合には、ＣＣＤカメラのみが撮影可能な状態に保持されたことを検知し、自動的に動画像をＬＣＤに表示させるようにすれば良い。
【００９３】
さらに本実施の形態においては、動画像表示時間をカウントし、このカウント結果が例えば５分を経過したときに、ＬＣＤ７における動画像の表示を終了させて、当該ＬＣＤ７をスリープ状態にさせた場合について述べたが、本発明はこれに限らず、動画像表示時間が所定の時間を経過したときに、ＬＣＤ７における動画像の表示を終了させるようにしても良い。
【００９４】
さらに本実施の形態においては、ＬＣＤスリープ時間をカウントし、このカウント結果が例えば５分を経過したときに、再びＬＣＤ７に動画像を表示させた場合について述べたが、本発明はこれに限らず、ＬＣＤスリープ時間が所定の時間を経過したときに、再びＬＣＤ７に動画像を表示させるようにしても良い。
【００９５】
さらに本実施の形態においては、動画像がＬＣＤ７に表示されたときに、動画像表示時間をカウントし、このカウント結果が例えば５分を経過したときに、ＬＣＤ７における動画像の表示を終了させて、当該ＬＣＤ７をスリープ状態にさせた場合について述べたが、本発明はこれに限らず、所定の電源供給キットのプラグをこの電源コネクタ９に挿入することによって、このカメラ付きＩＣレコーダ１に外部から電源電圧が供給されている場合には、常にＬＣＤ７に動画像を表示させるようにしても良い。
【産業上の利用可能性】
【００９６】
本発明は、カメラ付ＩＣレコーダ等の記録再生装置のほか、ディジタルカメラ等の種々の撮像装置に適用することができる。
【図面の簡単な説明】
【００９７】
【図１】本実施の形態によるカメラ付きＩＣレコーダの外観構成（１）を示す略線図である。
【図２】本実施の形態によるカメラ付きＩＣレコーダの外観構成（２）を示す略線図である。
【図３】本実施の形態によるカメラ付きＩＣレコーダの外観構成（３）を示す略線図である。
【図４】カメラカバーの回転状態を示す略線図である。
【図５】本実施の形態によるカメラ付きＩＣレコーダの回路構成を示すブロック図である。
【図６】用件フォルダ選択画面等の構成を示す略線図である。
【図７】録音時における自動動画像表示制御処理手順を示すフローチャートである。
【符号の説明】
【００９８】
１……カメラ付きＩＣレコーダ、２……本体部、３……ＣＣＤカメラ、４……ＬＣＤカバー部、６……操作部、６Ａ……録音ボタン、６Ｂ……ライブビューボタン、６Ｃ……カメラシャッタボタン、６Ｄ……メニューボタン、６Ｅ……ジョグレバー、６Ｆ……停止ボタン、６Ｇ……ボリュームスイッチ、６Ｈ……ボイスアップスイッチ、６Ｉ……マクロスイッチ、７……ＬＣＤ、８……カメラカバー、２０Ａ、２０Ｂ……マイクロホン、２３……データ処理及び制御部、２４……ＣＰＵ、２５……ＲＯＭ、２６……ＲＡＭ、２７……タイマ、２８……制御部、２９……ＤＳＰ、３０……フラッシュメモリ、Ｓ１、Ｓ６……音声信号、Ｓ２……操作入力信号、Ｓ３……ＬＣＤカバー状態信号、Ｓ４……カメラカバー状態信号、Ｓ５……画像信号、Ｄ１……音声データ、Ｄ２……圧縮音声データ、Ｄ３……画像データ、Ｄ４……圧縮画像データ、ＲＴ……録音時における自動動画像表示制御処理手順。
【図１】
2006074381.tif 000003
【図２】
2006074381.tif 000004
【図３】
2006074381.tif 000005
【図４】
2006074381.tif 000006
【図５】
2006074381.tif 000007
【図６】
2006074381.tif 000008
【図７】
2006074381.tif 000009